(57)【要約】      （修正有）【課題】溶接作業用手袋、鉄鋼作業用手袋などの分厚い手袋をしたままで、床に置いた状態にあっても指で摘み掴んで持ち上げ且つそのまま線引きなどの定規操作が行える定規を提供する。【解決手段】下方に位置する下面が平面でありかつ一方の側面ないし縁、他方の側面ないし縁を罫描き部位２、３とした第１の定規部４と、この第１の定規部４の真上に位置された、一方の側面ないし縁、他方の側面ないし縁の罫描き部位５、６が第１の定規部２の罫描き部位２、３の略真上に位置している、第１の定規部４と同形状の第２の定規部７と、第１の定規部４および第２の定規部７の幅よりも幅の狭い形態の、６つの定規結合部材８ａ〜８ｆからなる定規結合部９とからなる。【選択図】図１
2012125924.tif 000002
【特許請求の範囲】
【請求項１】
下方に位置する下面が平面でありかつ一方の側面ないし縁、他方の側面ないし縁を第１の一方の罫描き部位、第１の他方の線罫描き部位とした第１の定規部と、
この第１の定規部の真上に位置された、一方の側面ないし縁、他方の側面ないし縁を第２の一方の罫描き部位、第２の他方の線罫描き部位とし、かつ、前記第１の一方の線罫描き部の略真上に前記第２の一方の線罫描き部位が位置し、前記第１の他方の線罫描き部の略真上に前記第２の他方の線罫描き部位が位置している第２の定規部と、
前記第１の定規部と前記第２の定規部を、前記第１の各罫描き部位、前記第２の各罫描き部位の対向縁角を５ｍｍ以上離した間隔で結合している前記第１の定規部および前記第２の定規部の幅よりも幅の狭い形態の定規結合部と、
前記第１の定規部の内面に設けられた、前記第１の一方の罫描き部位、前記第１の他方の罫描き部位の目盛である第１の内面目盛部Ａ、Ｂと、
前記第１の定規部の外面に設けられた、前記第１の一方の罫描き部位、前記第１の他方の罫描き部位の目盛である第１の外面目盛部Ａ、Ｂと、
前記第２の定規部の内面に設けられた、前記第２の一方の罫描き部位、前記第２の他方の罫描き部位の目盛である第２の内面目盛部Ａ、Ｂと、
前記第２の定規部の外面に設けられた、前記第２の一方の罫描き部位、前記第２の他方の罫描き部位の目盛である第２の外面目盛部Ａ、Ｂと。
【請求項２】
第１の各罫描き部位の対向縁角と第２の各罫描き部位の対向縁角の距離を略１０ｍｍ〜略１６ｍｍ離した距離であることを特徴とする請求項１記載の定規。
【請求項３】
第１の定規部の内面の第１の内面目盛部Ａ、Ｂの目盛数字である第１の内面目盛数字Ａ、Ｂあるいは該第１の内面目盛部Ａ、Ｂの共通目盛数字である第１の内面目盛数字が設けられ、
第１の定規部の外面の第１の外面目盛部Ａ、Ｂの目盛数字である第１の外面目盛数字Ａ、Ｂあるいは該第１の外面目盛部Ａ、Ｂの共通目盛数字である第１の外面目盛数字が設けられ、
第２の定規部の内面の第２の内面目盛部Ａ、Ｂの目盛数字である第２の内面目盛数字あるいは該第２の内面目盛部Ａ、Ｂの共通目盛数字である第２の内面目盛数字が設けられ、
第２の定規部の外面の第２の外面目盛部Ａ、Ｂの目盛数字である第２の外面目盛数字Ａ、Ｂあるいは該第２の外面目盛部Ａ、Ｂの共通目盛数字である第２の外面目盛数字が設けられ、
前記第１の内面目盛数字Ａ、Ｂあるいは前記第１の内面目盛数字の並び向きである第１の内面目盛数字並び向きに対して、前記第２の外面目盛数字Ａ、Ｂあるいは前記第２の外面目盛数字の並び向きである第２の外面目盛数字並び向きが反対であり、
前記第２の内面目盛数字Ａ、Ｂあるいは前記第２の内面目盛数字の並び向きである第２の内面目盛数字並び向きに対して、前記第１の外面目盛数字Ａ、Ｂあるいは前記第１の外面目盛数字の並び向きである第１の外面目盛数字並び向きが反対でありことを特徴とする請求項１、２のいずれか１項に記載の定規。
【請求項４】
定規がＬ型定規であることを特徴とする請求項１〜３のいずれか１項に記載の定規。
【請求項５】
目盛および目盛数字を有する一対の平板同形態の定規を、上下位置で間隔をあけた形態で結合する定規結合部材であって、
前記定規の幅よりも狭い幅の形態であることを特徴とする定規結合部材。
【発明の詳細な説明】
【技術分野】
【０００１】
本発明は、定規および定規結合部材に関する。
【背景技術】
【０００２】
従来の定規として、四角棒体の長尺面の全てに目盛を設けた定規が知られている。（例えば、特許文献１、特許文献２）
また、三角棒体の長尺面の全てに目盛を設けた定規が知られている。（例えば、特許文献３，特許文献４）
【先行技術文献】
【特許文献】
【０００３】
【特許文献１】特開2003-246192号公報
【特許文献２】特開2008-26091号公報
【特許文献３】特開2003-247801号公報
【特許文献４】特開2006-3158号公報
【非特許文献】
【０００４】
【非特許文献１】特になし
【発明の概要】
【発明が解決しようとする課題】
【０００５】
上述した従来技術の、特許文献１、特許文献２、特許文献３，特許文献４の定規は、そのいずれもが、溶接作業用手袋、鉄鋼作業用手袋などの分厚い手袋をしたままでは、床に置いた状態にある定規を指で摘み掴もうとしても、その四角形状ないし三角形状によって滑ってしましい摘み掴むことが大変困難であり、いちいち手袋を外して素手で摘み持って定規操作をしなければならないという欠点を有するものであった。
また、引用文献２の罫描き定規は、略四角直棒形態で４面に目盛と寸法数字を表示した一の定規１２と、この一の定規１２の先端の下面に両面に目盛および寸法数字を表示した長平板形態の他の定規１６が直角形態で設けられた形態であるため、他の定規１６を上にすると該他の定規１６が上下方向に傾斜した形態となり正確に罫描きができない、よって常に他の定規１６を下に位置させるようにしなければならないという欠点を有するものであった。
【０００６】
本発明は以上のような従来技術の欠点に鑑み、溶接作業用手袋、鉄鋼作業用手袋などの分厚い手袋をしたままで、床に置いた状態にあっても指で摘み掴んで持ち上げ且つそのまま線引きなどの定規操作が行える定規および該定規を形成する定規結合部材を提供することを目的としている。
【課題を解決するための手段】
【０００７】
上記目的を達成するために、本発明は次のような構成としている。
＜請求項１の発明＞
下方に位置する下面が平面でありかつ一方の側面ないし縁、他方の側面ないし縁を第１の一方の罫描き部位、第１の他方の線罫描き部位とした第１の定規部と、
この第１の定規部の真上に位置された、一方の側面ないし縁、他方の側面ないし縁を第２の一方の罫描き部位、第２の他方の線罫描き部位とし、かつ、前記第１の一方の線罫描き部の略真上に前記第２の一方の線罫描き部位が位置し、前記第１の他方の線罫描き部の略真上に前記第２の他方の線罫描き部位が位置している第２の定規部と、
前記第１の定規部と前記第２の定規部を、前記第１の各罫描き部位、前記第２の各罫描き部位の対向縁角を５ｍｍ以上離した間隔で結合している前記第１の定規部および前記第２の定規部の幅よりも幅の狭い形態の定規結合部と、
前記第１の定規部の内面に設けられた、前記第１の一方の罫描き部位、前記第１の他方の罫描き部位の目盛である第１の内面目盛部Ａ、Ｂと、
前記第１の定規部の外面に設けられた、前記第１の一方の罫描き部位、前記第１の他方の罫描き部位の目盛である第１の外面目盛部Ａ、Ｂと、
前記第２の定規部の内面に設けられた、前記第２の一方の罫描き部位、前記第２の他方の罫描き部位の目盛である第２の内面目盛部Ａ、Ｂと、
前記第２の定規部の外面に設けられた、前記第２の一方の罫描き部位、前記第２の他方の罫描き部位の目盛である第２の外面目盛部Ａ、Ｂとである。
「定規結合部」の「結合」の形態は、第１の定規部および第２の定規部とは別体の部材あるいはいずれか一方とは別体の部材からなる定規結合部により接着、融着、溶着、嵌合、ネジ締めなどの接合形態によって結合された形態、また、第１の定規部、第２の定規部および定規結合部が一体成形により一体的に形成された結合形態、いずれの形態も技術的範疇に含むものである。
＜請求項２の発明＞
第１の各罫描き部位の対向縁角と第２の各罫描き部位の対向縁角の距離を略１０ｍｍ〜略１６ｍｍ離した距離であることを特徴とする請求項１記載の定規である。
＜請求項３の発明＞
第１の定規部の内面の第１の内面目盛部Ａ、Ｂの目盛数字である第１の内面目盛数字Ａ、Ｂあるいは該第１の内面目盛部Ａ、Ｂの共通目盛数字である第１の内面目盛数字が設けられ、
第１の定規部の外面の第１の外面目盛部Ａ、Ｂの目盛数字である第１の外面目盛数字Ａ、Ｂあるいは該第１の外面目盛部Ａ、Ｂの共通目盛数字である第１の外面目盛数字が設けられ、
第２の定規部の内面の第２の内面目盛部Ａ、Ｂの目盛数字である第２の内面目盛数字あるいは該第２の内面目盛部Ａ、Ｂの共通目盛数字である第２の内面目盛数字が設けられ、
第２の定規部の外面の第２の外面目盛部Ａ、Ｂの目盛数字である第２の外面目盛数字Ａ、Ｂあるいは該第２の外面目盛部Ａ、Ｂの共通目盛数字である第２の外面目盛数字が設けられ、
前記第１の内面目盛数字Ａ、Ｂあるいは前記第１の内面目盛数字の並び向きである第１の内面目盛数字並び向きに対して、前記第２の外面目盛数字Ａ、Ｂあるいは前記第２の外面目盛数字の並び向きである第２の外面目盛数字並び向きが反対であり、
前記第２の内面目盛数字Ａ、Ｂあるいは前記第２の内面目盛数字の並び向きである第２の内面目盛数字並び向きに対して、前記第１の外面目盛数字Ａ、Ｂあるいは前記第１の外面目盛数字の並び向きである第１の外面目盛数字並び向きが反対でありことを特徴とする請求項１、２のいずれか１項に記載の定規である。
＜請求項４の発明＞
定規がＬ型定規であることを特徴とする請求項１〜３のいずれか１項に記載の定規である。
＜請求項５の発明＞
目盛および目盛数字を有する一対の平板同形態の定規を、上下位置で間隔をあけた形態で結合する定規結合部材であって、
前記定規の幅よりも狭い幅の形態であることを特徴とする定規結合部材である。
【発明の効果】
【０００８】
以上の説明から明らかなように、本発明にあっては次に列挙する効果が得られる。
＜請求項１の発明の効果＞
下方に位置する下面が平面でありかつ一方の側面ないし縁、他方の側面ないし縁を第１の一方の罫描き部位、第１の他方の線罫描き部位とした第１の定規部と、
この第１の定規部の真上に位置された、一方の側面ないし縁、他方の側面ないし縁を第２の一方の罫描き部位、第２の他方の線罫描き部位とし、かつ、前記第１の一方の線罫描き部の略真上に前記第２の一方の線罫描き部位が位置し、前記第１の他方の線罫描き部の略真上に前記第２の他方の線罫描き部位が位置している第２の定規部と、
前記第１の定規部と前記第２の定規部を、前記第１の各罫描き部位、前記第２の各罫描き部位の対向縁角を５ｍｍ以上離した間隔で結合している前記第１の定規部および前記第２の定規部の幅よりも幅の狭い形態の定規結合部と、
前記第１の定規部の内面に設けられた、前記第１の一方の罫描き部位、前記第１の他方の罫描き部位の目盛である第１の内面目盛部Ａ、Ｂと、
前記第１の定規部の外面に設けられた、前記第１の一方の罫描き部位、前記第１の他方の罫描き部位の目盛である第１の外面目盛部Ａ、Ｂと、
前記第２の定規部の内面に設けられた、前記第２の一方の罫描き部位、前記第２の他方の罫描き部位の目盛である第２の内面目盛部Ａ、Ｂと、
前記第２の定規部の外面に設けられた、前記第２の一方の罫描き部位、前記第２の他方の罫描き部位の目盛である第２の外面目盛部Ａ、Ｂとであるので、次に述べるような効果を奏する。
すなわち、
第１の定規部と第２の定規部の間隔を、第１の各罫描き部位、第２の各罫描き部位の対向縁角を５ｍｍ以上離した間隔としているので、第１の定規部と第２の定規部の間に凹み空間が形成された形態となっている。よって、床などの平面部位に置かれた本発明の定規を、溶接用手袋、鋼鉄運搬作業用などの厚い手袋、硬い手袋した指で摘み持つ場合、凹み空間によって、上方に位置する第２の定規部の縁に手袋の指が容易かつ確実にかかり持つことができ、かつ、手袋をしたままの指で定規を摘み抑えたままの安定した状態で、確実かつ容易に罫描き操作が行えるという効果を奏する。
さらに、手袋で上方に位置する第１の定規部の目盛が隠され見えなくても、その下方に位置する第１の定規部の目盛が、上方から良好に目視でき計測ができるという効果を奏する。
＜請求項２の発明の効果＞
第１の各罫描き部位の対向縁角と第２の各罫描き部位の対向縁角の距離を略１０ｍｍ〜略１６ｍｍ離した距離であることを特徴とする請求項１記載の定規であるので、請求項１記載の発明と同様な効果を奏するとともに、次に述べるような効果を奏する。
すなわち、
第１の定規部と第２の定規部の距離がより離れた形態であるので、より摘みやすく、より下の位置の第１の定規部の目盛がより見やすくなるという効果を奏する。
＜請求項３の発明の効果＞
第１の定規部の内面の第１の内面目盛部Ａ、Ｂの目盛数字である第１の内面目盛数字Ａ、Ｂあるいは該第１の内面目盛部Ａ、Ｂの共通目盛数字である第１の内面目盛数字が設けられ、
第１の定規部の外面の第１の外面目盛部Ａ、Ｂの目盛数字である第１の外面目盛数字Ａ、Ｂあるいは該第１の外面目盛部Ａ、Ｂの共通目盛数字である第１の外面目盛数字が設けられ、
第２の定規部の内面の第２の内面目盛部Ａ、Ｂの目盛数字である第２の内面目盛数字あるいは該第２の内面目盛部Ａ、Ｂの共通目盛数字である第２の内面目盛数字が設けられ、
第２の定規部の外面の第２の外面目盛部Ａ、Ｂの目盛数字である第２の外面目盛数字Ａ、Ｂあるいは該第２の外面目盛部Ａ、Ｂの共通目盛数字である第２の外面目盛数字が設けられ、
前記第１の内面目盛数字Ａ、Ｂあるいは前記第１の内面目盛数字の並び向きである第１の内面目盛数字並び向きに対して、前記第２の外面目盛数字Ａ、Ｂあるいは前記第２の外面目盛数字の並び向きである第２の外面目盛数字並び向きが反対であり、
前記第２の内面目盛数字Ａ、Ｂあるいは前記第２の内面目盛数字の並び向きである第２の内面目盛数字並び向きに対して、前記第１の外面目盛数字Ａ、Ｂあるいは前記第１の外面目盛数字の並び向きである第１の外面目盛数字並び向きが反対でありことを特徴とする請求項１、２のいずれか１項に記載の定規であるので、請求項１、２のいずれか１項に記載の発明と同様な効果を奏するとともに、次に述べるような効果を奏する。
すなわち、
上方定規に位置する目盛数字と下方に位置する目盛数字の並び向きが反対向きであるという、目盛数字並びの反対並び形態とも言うべき形態によって、罫描き部位となる下に位置する定規部の目盛に対して、上部に位置する目盛数字とコの反対の並びの下部に位置する目盛数のどちらでも好みによって使い分けることができる、並び方向の異なる目盛数字を使い分けて罫描くことができる、計測できる定規を実現する。
＜請求項４の発明の効果＞
定規がＬ型定規であることを特徴とする請求項１〜３のいずれか１項に記載の定規であるので、請求項１〜３のいずれか１項に記載の発明と同様な効果を奏するとともに次に、述べるような効果を奏する。
すなわち、
L型定規の二つある定規部分の何れでも摘み持ち上げ、摘み持ち抑えて罫描きができるという効果を奏する。
＜請求項５の発明の効果＞
目盛および目盛数字を有する一対の平板同形態の定規を、上下位置で間隔をあけた形態で結合する定規結合部材であって、
前記定規の幅よりも狭い幅の形態であることを特徴とする定規結合部材であるので、次に述べるような効果を奏する。
すなわち、
目盛および目盛数字を有する一対の平板同形態の定規を定規結合部材によって上下に離した形態の、上下にそれぞれ同様な一対の定規を有する定規を形成することができるという効果を奏するとともに、請求項１に記載の定規を誰でも簡単に制作できるという効果を奏する。
【図面の簡単な説明】
【０００９】
【図１】本発明の実施例１の上斜めから見た斜視図。
【図２】本発明の実施例１の下斜めから見た斜視図。
【図３】本発明の実施例２の組立分解斜視図。
【図４】本発明の実施例３の組立分解斜視図。
【図５】本発明の実施例３の組立斜視図。
【図６】本発明の実施例４の上斜めから見た斜視図および下斜めから見た斜視図。
【図７】本発明の実施例５の上斜めから見た斜視図および下斜めから見た斜視図。
【図８】本発明の実施例６の斜視図。
【発明を実施するための形態】
【００１０】
以下、本発明を実施するための最良の形態である本発明の実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１、図２に示す本発明の実施例１において、１は定規であってこの定規１は次のような構成となっている。
下方に位置する下面が平面でありかつ一方の側面ないし縁、他方の側面ないし縁を罫描き部位２、３とした第１の定規部４と、
この第１の定規部４の真上に位置された、一方の側面ないし縁、他方の側面ないし縁の罫描き部位５、６が前記第１の定規部２の罫描き部位２、３の略真上に位置している、第１の定規部４と同形状の第２の定規部７と、
前記第１の定規部４と前記第２の定規部７を、前記罫描き部位３と罫描き部位６、罫描き部位２と罫描き部位５の角１０、角１０同士を５ｍｍ以上離した間隔（好ましくは１０ｍｍ以上、より好ましくは１２ｍｍ以上であり、本実施例では１２ｍｍ）で結合している前記第１の定規部４および前記第２の定規部７の幅よりも幅の狭い形態の、６つの定規結合部材８ａ〜８ｆからなる定規結合部９と、
前記第１の定規部４の内面１３に設けられた、前記両罫描き部位２、３の目盛である第１の内面目盛部１１、第１の内面目盛部１２と、
前記第１の定規部４の外面１４に設けられた、前記両罫描き部位２、３の目盛である第１の外面目盛部１５、第１の外面目盛部１６と、
前記第２の定規部７の内面２４に設けられた、前記両罫描き部位５、６の目盛である第２の内面目盛部１７、第２の内面目盛部１８と、
前記第２の定規部７の外面１９に設けられた、前記両罫描き部位５、６の目盛である第２の外面目盛部２０、第２の外面目盛部２１と、
第１の定規部４の内面１３に設けられた、第１の内面目盛部１１、１２の共通目盛数字である第１の内面目盛数字２５（１０ｍｍ置きに設けられているが、５跳びの５０ｍｍ置きに設けられる形態など多様な形態がある）と、
第１の定規部４の外面１４に設けられた、第１の外面目盛部１５、１６の目盛数字の共通目盛数字である第１の外面目盛数字２６と、
第２の定規部７の内面２４に設けられた、第２の内面目盛部１７、１８の目盛数字の共通目盛数字である第２の内面目盛数字２７と、
第２の定規部７の外面１９に設けられた、第２の外面目盛部２０、２１の目盛数字の共通目盛数字である第２の外面目盛数字２８とからなっている。
【００１２】
第１の内面目盛部１１、１２の目盛と第２の外面目盛部２０、２１の目盛は同じ上下位置となっていて、上方斜（前屈み姿勢）から第２の外面目盛部２０、２１の目盛と第１の内面目盛部１１、１２の目盛を重ねて見る上下目盛重ね視認状態ができ、この上下目盛重ね視認状態にあっては、第１の内面目盛部１１、１２の目盛数字を第２の外面目盛数字２８とすることができる。
同様に、第１の定規部４を上にして第２の定規部７を下にした状態では、第１の外面目盛部１５、１６の目盛と第２の内面目盛部１７、１８の目盛を重ねて見る上下目盛重ね視認状態ができ、この上下目盛重ね視認状態にあっては、第２の内面目盛部１７、１８の目盛数字を第１の外面目盛数字２６とすることができる。
【００１３】
第２の外面目盛数字２８の数字ならび方向に対して、第１の内面目盛数字２５の数字並び方向を反対並びにし、第１の外面目盛数字２６の数字ならび方向に対して、第２の内面目盛数字２７の数字並び方向を反対並びにした形態のものもよい。
この目盛数字並びの反対並び形態とも言うべき形態によって、罫描き部位となる下に位置する定規部の目盛に対して、上部に位置する目盛数字とコの反対の並びの下部に位置する目盛数のどちらでも好みによって使い分けることができる定規を実現する。
【００１４】
第１の内面目盛数字２５、第２の内面目盛数字２６を設けない構成とし、第２の外面目盛数字２８を第２の外面目盛部２０、２１と第１の内面目盛部１１、１２の共通目盛数字とし、第１の外面目盛数字２６を第１の外面目盛部１５、１６と第２の内面目盛部１７、１８の共通の目盛数字とする形態もよい。
【００１５】
第１の定規部４、第２の定規部７に該当する定規を購入し、定規結合部材８ａ〜８ｆ（予め上下に剥離しに被われた粘着剤部が設けられてなるもの、あるいは接着剤が添付されてなるものがよい。）を購入し、これらを組み立てて定規１を形成するのもよい。
【００１６】
定規結合部材８ａ〜８ｆは四角体となっているが、円柱状のものなどもよい。また、できる限り幅が狭く横長さが短いものがよい。
また、定規結合部材８ａ〜８ｆの上下面に小突起を設け、第１の定規部４、第２の定規部７に前記小突起が嵌る嵌り孔を好適な位置に設けるのがよい。こうすることにより、小突起を嵌り孔に入れて接着などにより接合するだけで、正確な第１の定規部４、第２の定規部７の位置設定が行え、制作が容易に行える。
【実施例２】
【００１７】
図３に示す本発明の実施例２において、前記実施例１と主に異なる点は、定規結合部をＬ形状の定規結合部材からなる定規結合部３０とした定規３１を形成したところにある。
また、定規結合部３０には２箇所の水平器３２、３３が設けられている。
【実施例３】
【００１８】
図４、図５に示す本発明の実施例３において、前記実施例１と主に異なる点は、定規結合部を透明樹脂製のＬ形状でその断面がＩ形状の定規結合部３４とした定規３５を形成したところにある。
【実施例４】
【００１９】
図６に示す本発明の実施例４において、３８は定規であってこの定規３８は、断面Ｉ形状の１本の棒状の定規本体３９と、この定規本体３９の上部位である第１の定規部４０と、定規本体３９の下部位である第２の定規部位４１と、第１の定規部４０と第２の定規部４１を結合（連絡）している該第１の定規部４０および該第２の定規部４１より幅の狭い定規結合部４２とからなっている。
内面１３および内面２４は僅かな傾斜面となっている。
第１の定規部４０、第２の定規部４１および定規結合部４２は同一部材により一体的に形成されている。
【実施例５】
【００２０】
図７に示す本発明の実施例５において、前記実施例４と主に異なる点は、定規本体を断面形状が二つの三角形を対向させたくびれ形状をした定規本体４４にし、定規本体４４の前記くびれ部分を定規結合部４５としてなる定規４６を形成した点にある。
内面１３および内面２４は５０度以上の傾斜面となっている。
【実施例６】
【００２１】
図８に示す本発明の実施例６において、前記実施例３と主に異なる点は、第１の定規部４、第２の定規部７および定規結合部３０を同一部材による一体成形により形成してなる定規４８を形成した点にある。
【産業上の利用可能性】
【００２２】
本発明は、定規を製造する産業で利用される。
【符号の説明】
【００２３】
１：定規、
２：罫描き部位、
３：罫描き部位、
４：第１の定規部、
５：罫描き部位、
６：罫描き部位、
７：第２の定規部、
８ａ〜８ｆ：定規結合部材、
９：定規結合部、
１０：角、
１１：第１の内面目盛部、
１２：第１の内面目盛部、
１３：内面、
１４：外面、
１５：第１の外面目盛部、
１６：第１の外面目盛部、
１７：第２の内面目盛部、
１８：第２の内面目盛部、
１９：外面、
２０：第２の外面目盛部、
２１：第２の外面目盛部、
２４：内面、
２５：第１の内面目盛数字、
２６：第１の外面目盛数字、
２７：第２の内面目盛数字、
２８：第２の外面目盛数字、
３０：定規結合部、
３１：定規、
３２：水平器、
３３：水平器、
３４：定規結合部、
３５：定規、
３８：定規、
３９：定規本体、
４０：第１の定規部、
４１：第２の定規部位、
４２：定規結合部、
４４：定規本体、
４５：定規結合部、
４６：定規。
【図３】
2012125924.tif 000003
【図４】
2012125924.tif 000004
【図５】
2012125924.tif 000005
【図６】
2012125924.tif 000006
【図７】
2012125924.tif 000007
【図８】
2012125924.tif 000008
【図１】
2012125924.tif 000009
【図２】
2012125924.tif 000010